【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】  ジョブを処理する周辺機器であって、
ジョブの処理の終了前、ジョブの処理で使用される機能を示す機能情報またはジョブの処理状況を示す情報を、ジョブを識別するためのジョブ識別情報と関連付けて、ジョブの管理情報として記憶する管理情報記憶手段と、
ジョブの処理の終了後、ジョブの処理で使用される機能を示す機能情報またはジョブの処理結果を示す情報を、前記ジョブ識別情報と関連付けて、ジョブのログ情報として記憶するログ情報記憶手段と、
指定されたジョブ識別情報に対応する管理情報またはログ情報を、前記管理情報記憶手段により記憶されている管理情報及び前記ログ情報記憶手段により記憶されているログ情報の中から探索する探索手段と、
前記探索手段による探索で見つかった管理情報またはログ情報における機能情報、処理状況を示す情報、または処理結果を示す情報を外部に送信する送信手段と、
を有することを特徴とする周辺機器。
【請求項２】  外部から送信される制御コマンドを解析して、ジョブを処理する周辺機器であって、
前記ジョブの管理情報及びログ情報を記憶する記憶手段と、
前記ジョブの処理を要求する制御コマンドより、前記ジョブを識別するジョブ識別情報および前記ジョブの処理で使用される機能を示す機能情報を取り出し、前記記憶手段に前記管理情報として記録するジョブ属性設定手段と、
前記ジョブの処理の終了までの間の処理状況を示す情報を前記記憶手段に前記管理情報として記録するジョブ管理手段と、
前記ジョブの処理の終了に伴い、前記ジョブを識別するジョブ識別情報、前記ジョブの処理で使用される機能を示す機能情報、前記ジョブの処理結果を示す情報を前記記憶手段に前記ログ情報として記録するログ記録手段と、
前記ジョブに関する情報の探索を要求する制御コマンドに基づき、前記記憶手段に記憶されている管理情報及びログ情報の中から、指定されたジョブ識別情報に対応する管理情報あるいはログ情報を探索する探索手段と、
前記探索手段による探索で見つかった管理情報あるいはログ情報より、機能情報、ジョブの処理状況を示す情報あるいはジョブの処理結果を示す情報を取得し、外部に送信する送信手段と、
を有することを特徴とする周辺機器。
【請求項３】  前記ログ記録手段は、前記記憶手段に記憶されているログ情報が所定量に達していた場合は、古いログ情報に代わって新たなログ情報を記録することを特徴とする請求項２記載の周辺機器。
【請求項４】  前記ジョブの処理を要求コマンドの受付に応じて、前記ジョブの管理情報を記憶する領域を前記記憶手段内に生成するジョブ受付手段を有することを特徴とする請求項２或いは３に記載の周辺機器。
【請求項５】  処理が終了したジョブに対応する管理情報を削除する削除手段を有することを特徴とする請求項２乃至４のいずれかに記載の周辺機器。
【請求項６】  ジョブを処理する周辺機器におけるジョブ管理方法であって、
ジョブの処理の終了前、ジョブの処理で使用される機能を示す機能情報またはジョブの処理状況を示す情報を、ジョブを識別するためのジョブ識別情報と関連付けて、ジョブの管理情報として記憶装置に記憶させるジョブ管理工程と、
ジョブの処理の終了後、ジョブの処理で使用される機能を示す機能情報またはジョブの処理結果を示す情報を、前記ジョブ識別情報と関連付けて、ジョブのログ情報として記憶装置に記憶させるログ記録工程と、
指定されたジョブ識別情報に対応する管理情報またはログ情報を、前記記憶装置により記憶されている管理情報及びログ情報の中から探索する探索工程と、
前記探索工程による探索で見つかった管理情報またはログ情報における機能情報、処理状況を示す情報、または処理結果を示す情報を外部に送信する送信工程とを有することを特徴とするジョブ管理方法。
【請求項７】  外部から送信される制御コマンドを解析してジョブを処理する周辺機器におけるジョブ管理方法であって、
前記ジョブの処理を要求する制御コマンドより、前記ジョブを識別するジョブ識別情報および前記ジョブの処理で使用される機能を示す機能情報を取り出し、記憶装置に管理情報として記録するジョブ属性設定ステップと、
前記ジョブの処理の終了までの間の処理状況を示す情報を前記記憶装置に管理情報として記録するジョブ管理ステップと、
前記ジョブ処理の終了に伴い、前記ジョブを識別するジョブ識別情報、前記ジョブの処理で使用される機能を示す機能情報、前記ジョブの処理結果を示す情報を前記記憶装置にログ情報として記録するログ記録ステップと、
前記ジョブに関する情報の探索を要求する制御コマンドに基づき、前記記憶装置に記憶されている管理情報及びログ情報の中から、指定されたジョブ識別情報に対応する管理情報あるいはログ情報を探索する探索ステップと、
前記探索ステップによる探索で見つかった管理情報あるいはログ情報より、機能情報、ジョブの処理状況を示す情報あるいはジョブの処理結果示す情報を取得し、外部に送信する送信ステップと、
を有することを特徴とするジョブ管理方法。
【請求項８】  前記ログ記録ステップは、前記記憶装置に記憶されているログ情報が所定量に達していた場合は、もっとも古いログ情報に代わって最新のログ情報を記録することを特徴とする請求項７記載のジョブ管理方法。
【請求項９】  前記ジョブの処理を要求コマンドの受付に応じて、前記ジョブの管理情報を記憶する領域を前記記憶手段内に生成するジョブ受付手段を有することを特徴とする請求項７或いは８に記載のジョブ管理方法。
【請求項１０】  処理が終了したジョブに対応する管理情報を削除する削除工程を有することを特徴とする請求項７乃至９のいずれかに記載のジョブ管理方法。
【請求項１１】  請求項７〜１０のいずれかに記載のジョブ管理方法を実現するプログラムを記憶したことを特徴とするコンピュータが読み取り可能な記憶媒体。
【請求項１２】  請求項７〜１１のいずれかに記載のジョブ管理方法を実現することを特徴とするプログラム。
【手続補正２】
【補正対象書類名】明細書
【補正対象項目名】０００８
【補正方法】変更
【補正の内容】
【０００８】
本発明は、上記の課題を解決するためになされたもので、本発明の目的は、システム資源に負荷をかけることなく、また、ネットワーク上のトラフィック負担を強いることなく、ユーザが周辺機器に依頼したジョブの処理結果を、ジョブ処理後の一定の期間内において確実に把握できる仕組みを提供することである。
【手続補正３】
【補正対象書類名】明細書
【補正対象項目名】０００９
【補正方法】変更
【補正の内容】
【０００９】
【課題を解決するための手段】
本発明に係る周辺機器は、以下の特徴的構成を備える。
ジョブを処理する周辺機器であって、ジョブの処理の終了前、ジョブの処理で使用される機能を示す機能情報またはジョブの処理状況を示す情報を、ジョブを識別するためのジョブ識別情報と関連付けて、ジョブの管理情報として記憶する管理情報記憶手段と、ジョブの処理の終了後、ジョブの処理で使用される機能を示す機能情報またはジョブの処理結果を示す情報を、前記ジョブ識別情報と関連付けて、ジョブのログ情報として記憶するログ情報記憶手段と、指定されたジョブ識別情報に対応する管理情報またはログ情報を、前記管理情報記憶手段により記憶されている管理情報及び前記ログ情報記憶手段により記憶されているログ情報の中から探索する探索手段と、前記探索手段による探索で見つかった管理情報またはログ情報における機能情報、処理状況を示す情報、または処理結果を示す情報を外部に送信する送信手段とを有することを特徴とする。
【手続補正４】
【補正対象書類名】明細書
【補正対象項目名】００１０
【補正方法】変更
【補正の内容】
【００１０】
本発明に係るジョブ管理方法は、以下の特徴的構成を備える。
ジョブを処理する周辺機器におけるジョブ管理方法であって、
ジョブの処理の終了前、ジョブの処理で使用される機能を示す機能情報またはジョブの処理状況を示す情報を、ジョブを識別するためのジョブ識別情報と関連付けて、ジョブの管理情報として記憶装置に記憶させるジョブ管理工程と、
ジョブの処理の終了後、ジョブの処理で使用される機能を示す機能情報またはジョブの処理結果を示す情報を、前記ジョブ識別情報と関連付けて、ジョブのログ情報として記憶装置に記憶させるログ記録工程と、
指定されたジョブ識別情報に対応する管理情報またはログ情報を、前記記憶装置により記憶されている管理情報及びログ情報の中から探索する探索工程と、
前記探索工程による探索で見つかった管理情報またはログ情報における機能情報、処理状況を示す情報、または処理結果を示す情報を外部に送信する送信工程とを有することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】０１５３
【補正方法】変更
【補正の内容】
【０１５３】
【発明の効果】
以上説明したように、本発明によれば、システム資源に負荷をかけることなく、また、ネットワーク上のトラフィック負担を強いることなく、ユーザが周辺機器に依頼したジョブの処理状況または処理結果を、ジョブの処理の終了前またはジョブの処理後の一定の期間内において確実に把握できる。